(57)【特許請求の範囲】
【請求項１】
建物の開口部に対向する正面部と、正面部の両側に位置する袖部からなり、正面部の室外側に昇降自在なシャッター、またはブラインドが設置され、袖部の室外側に引き戸の雨戸が収納されている出窓において、雨戸を室内で開閉操作する装置であり、雨戸格納位置の室内に設置される操作部材と、操作部材と雨戸との間に架設され、操作部材に連動して雨戸を開閉方向に往復動させる開閉部材からなり、操作部材は雨戸格納位置の室内に昇降自在に支持され、開閉部材は操作部材の昇降に連動して雨戸の開閉方向に往復動するピンと、中間部においてピンに軸支され、ピンと共に往復動しながら、ピンの回りに回転するアームから構成される出窓における雨戸の開閉装置。
【請求項２】
開閉部材のアームの一端は雨戸格納位置に昇降自在、且つ回転自在に支持され、他端は雨戸に昇降自在、且つ回転自在に支持されている請求項１記載の出窓における雨戸の開閉装置。
【発明の詳細な説明】
【０００１】
【発明の属する技術分野】
この発明は正面部の室外側に昇降自在なシャッターやブラインドが設置され、袖部の室外側に引き戸の雨戸が収納された出窓において、袖部の窓の開閉状態に関係なく、室内で雨戸を開閉させる雨戸の開閉装置に関するものである。
【０００２】
【従来の技術及び発明が解決しようとする課題】
建物の開口部から張り出す出窓における防犯性を確保し、ガラス部分を台風や強風時の飛来物から保護する、あるいは日差しや雨音を遮断する目的で、特開平10-88917号のように開口面積の大きい正面部にシャッターやブラインドを設置する場合、開口面積の小さい正面部両側の袖部には雨戸が設置される。
【０００３】
この出窓において、雨戸を開放させたときに袖部から採光を確保できるよう、例えば袖部にガラスを嵌殺し状態に収納した場合、特開平10-88918号のように窓が閉じたまま雨戸の開閉操作を室内で行えるよう、袖部の室内には雨戸を開閉させる、雨戸の開閉形式に対応した開閉装置が必要になる。
【０００４】
この発明は出窓において、袖部に設置される雨戸が引き戸である場合の開閉装置を提案するものである。
【０００５】
【課題を解決するための手段】
本発明では、建物の開口部に対向する正面部と、正面部の両側に位置する袖部からなり、正面部の室外側に昇降自在なシャッター、またはブラインドが設置され、袖部の室外側に引き戸の雨戸が収納されている出窓において、雨戸格納位置の室内に操作部材を設置し、操作部材と雨戸との間に開閉部材を架設し、開閉部材を操作部材に連動させて雨戸を開閉方向に往復動させることにより、袖部の窓の形態や開閉状態に関係なく、引き戸の雨戸を室内において開閉させる。操作部材は雨戸格納位置の室内に昇降自在に支持され、開閉部材は操作部材の昇降に連動して雨戸の開閉方向に往復動するピンと、中間部においてピンに軸支され、ピンと共に往復動しながら、ピンの回りに回転するアームから構成される。
【０００７】
この場合、請求項２に記載のように開閉部材のアームの一端は雨戸格納位置に昇降自在、且つ回転自在に支持され、他端は雨戸に昇降自在、且つ回転自在に支持される。ピンは操作部材の昇降に伴って雨戸の開閉方向に往復動し、ピンの往復動によってアームの他端が昇降し、雨戸が開閉する。
【０００８】
雨戸が格納された状態ではピンは雨戸格納位置の戸尻側に位置し、アームは起立した状態にある。操作部材の上昇、もしくは降下によりピンが雨戸の閉鎖の向きに移動するとき、アームはピンと共に移動しながら、ピンの回りに回転して次第に寝た状態になり、回転によりアームの他端が雨戸を閉鎖の向きに押すことで雨戸が閉鎖する。
【０００９】
雨戸の閉鎖状態からは操作部材の降下、もしくは上昇によりピンが雨戸の開放の向きに移動することで、アームがピンと共に移動しながら、回転して次第に起立した状態になり、アームの他端が雨戸を開放の向きに押し、雨戸が開放して格納される。
【００１０】
【発明の実施の形態】
この発明は図10〜図12に示すように正面部１と、正面部１の両側に位置する袖部２，２からなり、正面部１の室外側に昇降自在なシャッター３、もしくはブラインドが設置され、袖部２の室外側に引き戸の雨戸４が収納された出窓において、雨戸４を室内で開閉させる開閉装置15である。
【００１１】
出窓の骨組は建物の開口部に沿って配置される縦枠５，５と、縦枠５，５の下端部と上端部からそれぞれ室外側へ張り出す袖部下枠６及び袖部上枠７と、袖部下枠６と袖部上枠７の室外側の端部間に配置される方立８，８と、袖部下枠６，６の室外側の端部間に架設される正面部下枠９、及び袖部上枠７，７の室外側の端部間に架設される正面部上枠10から構成される。
【００１２】
シャッター３は正面部１の縦断面図である図11に示すように開放時に正面部上枠10の上に設置された屋根10ａ内の巻取り軸10ｂに巻き取られて格納され、手動、もしくはモータによる開閉操作時に方立８，８の室外側に一体的に形成、もしくは連結されるガイドレール11，11に沿って昇降する。
【００１３】
図面では正面部１に障子13を引違い状態に収納し、袖部２，２にガラス等の透光性のあるパネル14を嵌殺し状態に収納した場合を示しているが、正面部１の窓の形態と袖部２，２の窓の形態は一切問われない。袖部２，２に障子13を内開き自在に、もしくは上げ下げ自在に、あるいは内倒し自在に収納すれば、袖部２，２において採光と通風が確保され、その場合、窓を閉鎖させたまま、開閉装置15により雨戸４のみを開閉操作できる。
【００１４】
雨戸４を全開時に戸袋12に格納する場合、戸袋12は正面部１寄りと開口部寄りのいずれかに配置され、縦枠５、もしくは方立８に連結されることにより袖部下枠６と袖部上枠７との間に設置される。雨戸４は袖部下枠６、もしくは袖部上枠７に形成されるレール6aに沿って走行する。
【００１５】
開閉装置15は図１〜図３に示すように雨戸４の格納位置の室内に設置される操作部材16と、操作部材16と雨戸４との間に架設され、操作部材16に連動して雨戸４を開閉方向に往復動させる開閉部材17からなる。図面では縦枠５寄りに配置した戸袋12に雨戸４を格納しているが、戸袋12を方立８寄りに配置する場合と戸袋12を配置しない場合もある。雨戸４が複数枚ある場合、開閉部材17は最も室内側に位置する雨戸４との間に架設される。
【００１６】
操作部材16は戸袋12位置の室内において縦枠５や方立８、またはそれらのいずれかに沿って設置される縦材5aに固定されるハウジング20に昇降自在に支持され、開閉部材17は操作部材16の昇降に連動して雨戸４の開閉方向に往復動するピン18と、ピン18と共に往復動しながら、ピン18の回りに回転するアーム19から構成される。
【００１７】
ハウジング20の室内側の立面を示す図６，図７、及び図４に示すようにハウジング20の、操作部材16収納位置には操作部材16の昇降を案内し、昇降量を制限するする操作部材用案内溝20ａが形成され、操作部材16収納位置の室外側には操作部材16の昇降に伴うピン18の往復動を案内し、その移動量を制限するピン用案内溝20ｂが形成される。操作部材16の昇降を直接操作するつまみ16ａはハウジング20より室内に突出し、縦枠５や方立８に縦材5aが固定される場合は縦材5aより室内に突出する。
【００１８】
図４に示すようにピン18の室外側の端部はアーム19に連結され、室内側の端部はハウジング20のピン用案内溝20ｂを貫通し、後述の操作部材16の誘導溝16ｂ内に位置する。
【００１９】
ハウジング20の室外側にはまた、アーム19がピン18の回りに回転しながら、ピン用案内溝20ｂに沿って直線運動するときの、アーム19の戸袋12側の一端である開放側端部19ａの昇降を案内するアーム用案内溝20ｃも形成される。
【００２０】
操作部材16の室外側の面にはその昇降に伴い、ピン18をハウジング20のピン用案内溝20ｂに沿って往復動させる、鉛直に対して傾斜した誘導溝16ｂが形成される。誘導溝16ｂは高さ方向には操作部材16の昇降量に対応した高さを持ち、横方向にはハウジング20のピン用案内溝20ｂの長さに対応した長さを持つ。
【００２１】
図面では操作部材16が降下するときにピン18を雨戸４の閉鎖の向きに移動させ、操作部材16が上昇するときに雨戸４を開放の向きに移動させるよう、誘導溝16ｂを下端から上端へかけてピン18が開放位置から閉鎖位置へ移動する向きに傾斜させているが、逆の場合もある。
【００２２】
操作部材16の昇降による雨戸４の開閉に要する力と、雨戸４の移動距離は誘導溝16ｂの傾斜の程度と誘導溝16ｂの水平距離により決まり、誘導溝16ｂの傾斜が鉛直に近い程、小さい力で雨戸４を開閉でき、誘導溝16ｂの水平距離が長い程、雨戸４の移動距離を大きく取れる。
【００２３】
図示するように誘導溝16ｂの両端部分を操作部材16の移動方向と同じ上下方向に向ければ、雨戸４が閉鎖状態、または開放状態にあるときに、アーム19の雨戸４側の端部である閉鎖側端部19ｂの上昇や降下によってピン18がピン用案内溝20ｂに沿って移動すること、すなわち雨戸４がいずれかの向きに走行しようとすることによる操作部材16の昇降を防止できるため、雨戸４が閉鎖しているときと開放しているときで雨戸４を施錠したことと同等の状態になり、閉鎖しているときには防犯効果が得られ、開放しているときには雨戸４が風や衝撃によって勝手に閉鎖することを防止できる。
【００２４】
アーム19は上記の通り、図１，図５に示すように中間部においてピン18に軸支され、一端の開放側端部19ａはハウジング20のアーム用案内溝20ｃに昇降自在、且つ回転自在に支持され、他端の閉鎖側端部19ｂは最も室内側に位置する雨戸４の室内側に形成された案内溝4a内に昇降自在、且つ回転自在に支持される。図面ではアーム19による雨戸４の開閉時の安定性を高めるために、２本のアーム19，19を用いているが、１本のアーム19で足りる場合もある。
【００２５】
図１，図４に示すようにハウジング20のアーム用案内溝20ｃ内と雨戸４の案内溝4a内にはそれぞれ昇降自在にスライダ21，22が配置され、アーム19の開放側端部19ａはスライダ21に、閉鎖側端部19ｂはスライダ22にそれぞれ回転自在に連結されることにより、アーム用案内溝20ｃ内と案内溝4aに昇降自在、且つ回転自在に支持される。
【００２６】
図６，図８は図５に鎖線で示すようにアーム19が起立し、雨戸４が戸袋12内に格納されているときの操作部材16とハウジング20の関係を示す。操作部材16はハウジング20に対して上昇し、ピン18はピン用案内溝20ｂ内で、雨戸４の開放側に位置している。アーム19の開放側端部19ａはアーム用案内溝20ｃ内で、ピン用案内溝20ｂに対して最も遠い位置にある。
【００２７】
操作部材16は図６に示すように例えば操作部材16の上端部に、ハウジング20側へ水平方向に出没自在に収納されたラッチ16ｃがその位置に対応した位置に形成されたハウジング20の被係合部20ｄに係合することにより上昇して安定した状態を維持する。操作部材16が降下した状態は図７に示すようにそのときのラッチ16ｃに対応した位置に形成されたハウジング20の被係合部20ｅに係合することで安定する。
【００２８】
図６，図８の状態からは操作部材16が降下することに伴い、ピン18が雨戸４の閉鎖側へ移動し、同時にアーム19の中間部がピン18と共に雨戸４の閉鎖側へ移動する。
【００２９】
図５に実線で示すようにアーム19が雨戸４の閉鎖側へ移動すると共に、ピン18の回りに回転することにより開放側端部19ａがアーム用案内溝20ｃに沿って降下、もしくは上昇し、閉鎖側端部19ｂが雨戸４の案内溝4aに沿って上昇、もしくは降下する。アーム19の閉鎖側端部19ｂが上昇、もしくは降下しながら、雨戸４の閉鎖側へ移動することにより雨戸４の案内溝4aが閉鎖側へ押され、雨戸４が閉鎖する。
【００３０】
図２に示すように雨戸４が複数枚ある場合、アーム19が連結された雨戸４の閉鎖によってその室外側に隣接する雨戸４が閉鎖するよう、室内側の雨戸４の召合せ部分の室外側には室外側に隣接する雨戸４の戸先部分に雨戸の閉鎖の向きに係止する係止部4bが形成され、アーム19が連結された雨戸４の閉鎖側への移動により室外側に隣接する雨戸４も閉鎖側へ移動する。
【００３１】
この室内側の雨戸４の係止部4bが室外側に隣接する雨戸４の戸尻部分に雨戸４の開放の向きに係止するように室外側の雨戸４に被係止部を形成すれば、アーム19が連結された雨戸４の開放側への移動により室外側に隣接する雨戸４も開放側へ移動する。
【００３２】
図２では室外側に隣接する雨戸４に開放側へ係止する係止部4cを室内側の雨戸４の戸先部分に形成し、その係止部4cを室外側の雨戸４の戸先部分に開放の向きに係止させることにより、室内側の雨戸４の開放側への移動により室外側の雨戸４も開放側へ移動させるようにしている。
【００３３】
雨戸４が閉鎖した状態からは操作部材16が上昇することに伴い、ピン18が雨戸４の開放側へ移動すると同時に、アーム19が回転しながら、アーム19の閉鎖側端部19ｂが雨戸４の開放側へ移動することにより雨戸４が開放側へ押されて開放する。
【００３４】
【発明の効果】
雨戸格納位置の室内に操作部材を設置し、操作部材と雨戸との間に架設される開閉部材を操作部材に連動させることで、雨戸を開閉方向に往復動させるため、袖部の窓の形態や開閉状態に関係なく、引き戸の雨戸を室内において開閉操作することができる。
【００３５】
請求項２，３では操作部材の昇降操作によって雨戸の開閉が行えるため、操作性がよい。
【図面の簡単な説明】
【図１】雨戸と開閉装置の関係を示した立面図である。
【図２】図１の横断面図である。
【図３】図２の縦断面図である。
【図４】雨戸と開閉装置の関係を示した横断面図である。
【図５】開閉装置のアームの動きを示した立面図である。
【図６】雨戸の開放状態での操作部材と開閉装置の関係を示した立面図である。
【図７】雨戸の閉鎖状態での操作部材と開閉装置の関係を示した立面図である。
【図８】図６に対応する斜視図である。
【図９】図７に対応する斜視図である。
【図１０】出窓を示した平面図である。
【図１１】出窓の正面部を示した縦断面図である。
【図１２】出窓の外観を示した斜視図である。
【符号の説明】
１……正面部、２……袖部、３……シャッター、４……雨戸、4a……案内溝、4b……係止部、4c……係止部、５……縦枠、5a……縦材、６……袖部下枠、6a……レール、７……袖部上枠、８……方立、９……正面部下枠、10……正面部上枠、10ａ……屋根、10ｂ……巻取り軸、11……ガイドレール、12……戸袋、13……障子、14……パネル、15……開閉装置、16……操作部材、16ａ……つまみ、16ｂ……誘導溝、16ｃ……ラッチ、17……開閉部材、18……ピン、19……アーム、19ａ……開放側端部、19ｂ……閉鎖側端部、20……ハウジング、20ａ……操作部材用案内溝、20ｂ……ピン用案内溝、20ｃ……アーム用案内溝、20ｄ……被係合部、20ｅ……被係合部、21……スライダ、22……スライダ。
【図１】
0003784212.tif 000002
【図２】
0003784212.tif 000003
【図３】
0003784212.tif 000004
【図４】
0003784212.tif 000005
【図５】
0003784212.tif 000006
【図６】
0003784212.tif 000007
【図７】
0003784212.tif 000008
【図８】
0003784212.tif 000009
【図９】
0003784212.tif 000010
【図１０】
0003784212.tif 000011
【図１１】
0003784212.tif 000012
【図１２】
0003784212.tif 000013